(57)【要約】【課題】  記録媒体の端面に紙粉が残留することを防止して、画質や搬送精度を安定化する。【解決手段】  このマガジンには、ロール状の記録媒体が装填されるカバーと、カバー内で記録媒体を回転自在に支持する回転軸とが備えられている。また、マガジンには、回転軸に支持された記録媒体を挟んで、幅方向の移動を規制する一対のガイド部と、記録媒体の両端面に付着した紙粉を除去する除去手段とが備えられている。【選択図】        図５
2006227284.tif 000002
【特許請求の範囲】
【請求項１】
ロール状の記録媒体が装填されるカバーと、
前記カバー内で前記記録媒体を回転自在に支持する回転軸と、
前記回転軸に支持された前記記録媒体を挟んで、幅方向の移動を規制する一対のガイド部と、
前記記録媒体の両端面に付着した紙粉を除去する除去手段とを備えることを特徴とするマガジン。
【請求項２】
請求項１記載のマガジンにおいて、
前記除去手段は、前記ガイド部に取り付けられて前記記録媒体の端面を摺擦する摺擦部材であることを特徴とするマガジン。
【請求項３】
請求項２記載のマガジンにおいて、
前記摺擦部材は、前記ガイド部に着脱自在に取り付けられていることを特徴とするマガジン。
【請求項４】
請求項２又は３記載のマガジンにおいて、
前記摺擦部材は、前記回転軸に直交する方向に延在するように配置され、かつ前記カバー内に装填される最大径の前記記録媒体における内径から外径までの長さ以上の長さに設定されていることを特徴とするマガジン。
【発明の詳細な説明】
【技術分野】
【０００１】
本発明は、マガジンに係り、特にロール状の記録媒体が装填されるマガジンに関する。
【背景技術】
【０００２】
いわゆる「ミニラボ」と呼ばれる感光材料処理装置は、現像済みの写真フィルムを感光用記録媒体（感光材料）にプリントするために、写真プリントを業とする店舗で多く使用されている。感光材料処理装置には、感光材料を装填するためのマガジンが設けられている（例えば特許文献１参照）。感光材料はロール状に巻かれた状態でマガジンに装填されるようになっていて、装填後においてはマガジン内の一対のガイド部により両端が挟まれて、幅方向の移動が規制されることになっている。
ここで、感光材料は、その製造過程において基準の幅で巻かれてから、所定のサイズに切り出されるようになっている。このため切り出された感光材料の端面には紙粉が付着することになる。紙粉が感光材料処理装置内の搬送ローラや露光ヘッドに付着すると画質や搬送精度の低下、ジャム等を誘発するおそれがあるために、紙粉を吸引して除去する吸引手段をマガジンの下流側に配置するものが開発されている（例えば特許文献２参照）。
【特許文献１】特開２００４−２７１６７３号公報
【特許文献２】特開２００３−３３０１２２号公報
【発明の開示】
【発明が解決しようとする課題】
【０００３】
しかしながら、感光材料はマガジン内で回転しながらマガジンの供給口から引き出されることになるが、この引き出し時に端面に付着していた紙粉はマガジンの供給口に付着することになる。これにより、マガジンの供給口の一部分、つまり感光材料の端部に対応する部分に紙粉がたまってしまう。感光材料のサイズが小さなものから大きなものに変更された場合、供給口の一部分にたまっていた紙粉はサイズの大きい感光材料の裏面に付着してしまう。感光材料の裏面に付着した紙粉は吸引手段では除去できないために、当該紙粉が、感光材料処理装置内の露光ヘッドや、搬送ローラ付着して、画質や搬送精度の低下、ジャムなどを誘発するおそれがある。
【０００４】
本発明の課題は、マガジンから引き出される前に記録媒体の端面に紙粉が残留することを防止して、画質や搬送精度を安定化することである。
【課題を解決するための手段】
【０００５】
請求項１記載の発明におけるマガジンは、
ロール状の記録媒体が装填されるカバーと、
前記カバー内で前記記録媒体を回転自在に支持する回転軸と、
前記回転軸に支持された前記記録媒体を挟んで、幅方向の移動を規制する一対のガイド部と、
前記記録媒体の両端面に付着した紙粉を除去する除去手段とを備えることを特徴としている。
【０００６】
請求項１記載の発明によれば、記録媒体の両端面に付着した紙粉は除去手段によって除去されるので、紙粉が記録媒体の端面に残留することを防止できる。これにより、露光ヘッド、搬送ローラに紙粉が付着することを低減でき、画質や搬送精度を安定化することができる。
【０００７】
請求項２記載の発明は、請求項１記載のマガジンにおいて、
前記除去手段は、前記ガイド部に取り付けられて前記記録媒体の端面を摺擦する摺擦部材であることを特徴としている。
【０００８】
請求項２記載の発明によれば、除去手段が記録媒体の端面を摺擦する摺擦部材であるので、記録媒体の端面が摺擦されると、当該端面上の紙粉は摺擦部材により除去されることになる。
【０００９】
請求項３記載の発明は、請求項２記載のマガジンにおいて、
前記摺擦部材は、前記ガイド部に着脱自在に取り付けられていることを特徴としている。
【００１０】
請求項３記載の発明によれば、摺擦部材がガイド部に着脱自在に取り付けられているので、摺擦部材が汚れてしまったとしても、ガイド部材から取り外すことができる。これにより、摺擦部材の交換、クリーニングを容易に行うことができる。
【００１１】
請求項４記載の発明は、請求項２又は３記載のマガジンにおいて、
前記摺擦部材は、前記回転軸に直交する方向に延在するように配置され、かつ前記カバー内に装填される最大径の前記記録媒体における内径から外径までの長さ以上の長さに設定されていることを特徴としている。
【００１２】
請求項４記載の発明によれば、摺擦部材が、回転軸に直交する方向に延在するように配置され、かつカバー内に装填される最大径の記録媒体における内径から外径までの長さ以上の長さに設定されているので、記録媒体がカバー内に装填されてからなくなるまでの間、記録媒体の端部を常に摺擦部材に接触させることができる。これにより、最初から最後まで記録媒体の端部に付着した紙粉を除去することができる。
【発明の効果】
【００１３】
本発明によれば、記録媒体の両端面に付着した紙粉は除去手段によって除去されるので、マガジンから引き出される前に、紙粉が記録媒体の端面に残留することを防止できる。これにより、露光ヘッド、搬送ローラに紙粉が付着することを低減でき、画質や搬送精度を安定化することができる。
【発明を実施するための最良の形態】
【００１４】
以下、本発明の実施の形態を、図１から図８を参照して説明する。
【００１５】
図１は、本発明に係るマガジンを適用した感光材料処理装置の一実施形態の概略構成を示す図である。感光材料処理装置１は、本発明の記録媒体である感光材料に対して露光及び現像を行うことで、感光材料上に画像を形成する装置である。この感光材料処理装置１には、画像データに基づいて感光材料の露光処理を行う露光処理装置２と、露光された感光材料に現像、乾燥、ソータ、補充などの現像処理を行う現像処理装置３とが備えられている。露光処理装置２には、露光処理手段の各構成部を内部に搭載した露光処理装置本体４と、露光処理装置本体４の外部に配置されて当該露光処理装置本体４に感光材料を供給するためのマガジン５とが設けられている。
【００１６】
図２はマガジン５の概略構成を表す斜視図である。この図２に示すように、マガジン５には、ロール状の感光材料Ｐ（図４参照）が装填されるカバー６と、カバー６内で感光材料Ｐを回転自在に支持する回転軸７とが備えられている。
【００１７】
カバー６の上部一側方には、露光処理装置本体４に連結される連結部６０が設けられている。連結部６０には、感光材料Ｐを露光処理装置本体４に供給するための供給口６２が設けられている。また、カバー６の下部他側方には、ヒンジ６１（図３参照）が設けられている。カバー６は、連結部６０からヒンジ６１にかけて２分割されていて、ヒンジ６１を回転中心として開放されるようになっている。ここで、２分割されたカバー６のうち、上側に位置する部分を第１カバー部６３とし、下側に位置する部分を第２カバー部６４とする。
【００１８】
図３及び図４は、開放時におけるカバー６を表す図であり、図３は側断面図、図４は上面図である。この図３及び図４に示すように、第１カバー部６３と第２カバー部６４との接合部分における略中央には、回転軸７を回転自在に支持するための凹部６５，６６が形成されている。この凹部６５，６６に回転軸７を取り付けて、第１カバー部６３及び第２カバー部６４を閉じると、カバー６内部が遮光されるようになっている。また、これにより回転軸７の軸方向とカバー６の幅方向とは同一方向となる。
【００１９】
図３に示すように第１カバー部６３の外周面には取っ手６７が取り付けられている。この取っ手６７は、第１カバー部６３及び第２カバー部６４が開放されると、床に接触して第１カバー部６３を支持することになる。安定した支持を可能とするために第１カバー部６３の幅方向における略中央に取っ手６７を取り付けることが好ましい。
また、第１カバー部６３の先端部には、供給口６２に感光材料Ｐを案内するための第１案内機構６８が設けられている。
【００２０】
図５は、第２カバー部６４の概略構成を表す斜視図である。この図５に示すように、第２カバー部６４の先端部には、第１案内機構６８と協同して供給口６２に感光材料Ｐを案内するための第２案内機構６９が設けられている。また、第２カバー部６４の内部には、回転軸７に支持されたロール状の感光材料Ｐを挟んで、幅方向の移動を規制する一対のガイド部８１，８２設けられている。
【００２１】
図６及び図７は、ガイド部８１，８２の概略構成を表す図であり、図６は斜視図、図７は上面図である。ガイド部８１，８２には、第２カバー部６４の底部６４１に固定される基台８３と、基台８３の一端から垂直に立設する立設部８４とが設けられている。
基台８３には、第２カバー部６４の底部６４１にネジ止めされる際にネジ６４２（図５参照）が挿通される挿通孔８５が幅方向に沿って形成されている。
【００２２】
立設部８４には、ロール状の感光材料Ｐの端面を摺擦するための摺擦ユニット９が着脱自在に取り付けられている。摺擦ユニット９には、立設部８４にネジ止めされる上面視略Ｌ字状のフレーム９１と、フレーム９１に固定されて感光材料Ｐの端面を摺擦するブラシ（摺擦部材）９２とが備えられている。ブラシ９２は、ロール状の感光材料Ｐが引き出される際に最初から終わりまでその端面を摺擦するために、回転軸７の軸方向に直交する方向に延在するように配置されていて、カバー６内に装填される最大径の感光材料Ｐにおける内径から外径に対応する長さに設定されている。ここで、図８を参照に具体的に説明する。図８は、ロール状の感光材料Ｐを表す側面図であるが、この感光材料Ｐを最大径の感光材料Ｐとする。ここで、回転軸７の軸方向に直交する方向とは、軸方向に直交する面上のことであり、ロール状の記録媒体の端面上ということである。つまり、ロール状の感光材料Ｐの直径方向に外径Ｐ１から内径Ｐ２まで少なくとも沿うようにブラシ９２を配置すれば、ロール状の感光材料Ｐが引き出される際に最初から終わりまでその端面を摺擦することができる。なお、ブラシ９２は、回転軸７の軸方向に直交する方向に沿っていれば、感光材料Ｐの直径方向に沿ってなくともよい。例えば図８の一点鎖線部９２Ｂに示すように直径方向に平行な方向に配置する場合が挙げられる。この場合、外径Ｐ１から内径Ｐ２までを摺擦するためには、ブラシ９２の長さは外径Ｐ１から内径Ｐ２までの長さＬ以上に設定されている必要がある。これらのことで、感光材料Ｐがロール状に巻かれたままの状態でその両端面がブラシ９２によって摺擦されることになる。なお図８に示すように、ロール状の感光材料Ｐには円筒状の芯材Ｃが設けられているが、この芯材Ｃとブラシ９２との接触面積を極力小さくすることが好ましい。
【００２３】
そして、図５に示すように、一対のガイド部８１，８２のうち、一方のガイド部８１は、立設部８４が第２カバー部６４の内側面に接触するように固定されていて、他方のガイド部８２は当該ガイド部８２の立設部８４が一方のガイド部８１の立設部８４に対向するように、取り付けられている。この他方のガイド部８２は、ネジ６４２をゆるめることで幅方向に沿って移動可能となって、一方のガイド部８２との間隔を調整できるようになっている。
【００２４】
回転軸７には、図４に示すように、ロール状の感光材料Ｐの中空部に貫通されて、当該感光材料を支持する支持部７１と、支持部７１の両側方でカバー６の凹部６５，６６に係合する係合溝７２とが備えられている。回転軸７に支持されたロール状の感光材料Ｐは、一対のガイド部８１，８２によって挟まれて、幅方向の移動が規制されることになる。
【００２５】
次に、本実施形態の作用について説明する。
感光材料Ｐの露光及び現像が開始されると、感光材料Ｐは、第１案内機構６８及び第２案内機構６９によって案内されて供給口６２から露光処理装置本体４に供給される。この際、ロール状の感光材料Ｐは、一対のガイド部８１，８２により挟まれて幅方向の移動が規制されているために、感光材料Ｐがずれて供給されることはない。また、供給時には感光材料Ｐの両端面が常にブラシ９２に接触して摺擦されているために、感光材料Ｐの端面に付着している紙粉等のゴミはブラシ９２により除去される。なおかつ、ブラシ９２は感光材料Ｐと比較しても柔らかいので、摺擦により新たな紙粉が発生することも防止できる。
【００２６】
ブラシ９２は長期に亘って使用すると汚れてしまうために所定の期間経過すると、作業者は、カバー６を開いて回転軸７及び感光材料Ｐを取り外してから、摺擦ユニット９を取り外す。作業者は取り外した摺擦ユニット９をクリーニングして再度摺擦ユニット９をガイド部８１，８２に取り付ける。なお、新たな摺擦ユニット９に交換してガイド部８１，８２に取り付けてもよい。
【００２７】
以上のように、本実施形態のマガジン５によれば、ロール状の感光材料Ｐの両端面に付着した紙粉はブラシ９２によって除去されるので、マガジン５から引き出される前に紙粉が感光材料Ｐの端面に残留することを防止できる。これにより、露光処理装置２内の露光ヘッド、搬送ローラに紙粉が付着することを低減でき、画質や搬送精度を安定化することができる。
また、除去手段が記録媒体の端面を摺擦する摺擦部材であるので、記録媒体の端面が摺擦されると、当該端面上の紙粉は摺擦部材により除去されることになる。
ブラシ９２が摺擦ユニット９としてガイド部８１，８２に着脱自在に取り付けられているので、ブラシ９２が汚れてしまったとしても、ガイド部材８１，８２から取り外すことができる。これにより、ブラシ９２の交換、クリーニングを容易に行うことができる。
また、ブラシ９２によって感光材料Ｐがロール状に巻かれたままの状態でその両端面が摺擦されているので、感光材料Ｐが引き出された状態で摺擦される場合よりも厚みのある状態で摺擦されることになって、紙粉除去能力を高めることができる。
【００２８】
なお、本発明は上記実施形態に限らず適宜変更可能であるのは勿論である。
例えば、本実施形態では、感光材料が装填されるマガジンを例示して説明したが、感光材料以外の記録媒体が装填されるマガジンであっても適用可能である。
また、本実施形態では、摺擦部材としてブラシ９２を例示しているが、ロール状の感光材料Ｐの両端に摺擦して紙粉を除去するのであれば、摺擦部材は如何なるものであってもよく、例えば、布、スポンジなどが挙げられる。
【００２９】
また、本実施形態では、本発明に係る除去手段として摺擦部材を例示しているが、感光材料Ｐの両端面に付着した紙粉を除去するものであれば、除去手段はいかなるものであってもよく、例えば、感光材料Ｐの両端面周辺を吸引することで紙粉を除去する吸引手段などが挙げられる。
【図面の簡単な説明】
【００３０】
【図１】本発明に係るマガジンを適用した感光材料処理装置の一実施形態の概略構成を示す図である。
【図２】本発明に係るマガジンの概略構成を表す斜視図である。
【図３】図２のマガジンに備わるカバーの開放状態を表す側断面図である。
【図４】図３のカバーを表す上面図である。
【図５】図３のカバーに備わる第２カバー部の概略構成を表す斜視図である。
【図６】図５の第２カバー部に備わるガイド部の概略構成を表す斜視図である。
【図７】図６のガイド部を表す上面図である。
【図８】図２のマガジンに装填されるロール状の感光材料を表す側面図である。
【符号の説明】
【００３１】
１      感光材料処理装置
２      露光処理装置
３      現像処理装置
４      露光処理装置本体
５      マガジン
６      カバー
７      回転軸
９      摺擦ユニット
６０      連結部
６１      ヒンジ
６２      供給口
６３      第１カバー部
６４      第２カバー部
６５，６６      凹部
６７      取っ手
６８      第１案内機構
６９      第２案内機構
７１      支持部
７２      係合溝
８１，８２      ガイド部
８３      基台
８４      立設部
８５      挿通孔
９１      フレーム
９２      ブラシ（摺擦部材、除去手段）
６４１      底部
６４２      ネジ
Ｐ      感光材料（記録媒体）
【図１】
2006227284.tif 000003
【図２】
2006227284.tif 000004
【図３】
2006227284.tif 000005
【図４】
2006227284.tif 000006
【図５】
2006227284.tif 000007
【図６】
2006227284.tif 000008
【図７】
2006227284.tif 000009
【図８】
2006227284.tif 000010